(57)【要約】【課題】本発明は、１個のカップ使用時には１個分の収納スペースで済み、必要な時には２個のカップも収納可能であり、比較的小型のコンソールボックスに適用できる車両用カップホルダーを提供することにある。【解決手段】本発明の車両用カップホルダーでは、一体に設けられたコンソールボックス本体２の収納凹部５の後方側に嵌合凹部８を設ける一方、コンソールボックス本体２と別体に形成され、かつカップホルダーとして使用する収納凹部１０が一体に形成されている可動部品１１を設け、１個のカップ６の使用時には、コンソールボックス本体２の収納凹部５に可動部品１１の収納凹部１０を挿入して収納配置し、２個のカップ６，６ａの使用時には、コンソールボックス本体２の収納凹部５から可動部品１１を取外し、コンソールボックス本体２の嵌合凹部８に可動部品１１の前辺部１３を嵌め込んで取付けるようにしている。【選択図】　　　　　　　　図３
2004114766.tif 000002
【特許請求の範囲】
【請求項１】
コンソールボックス本体にカップホルダーとして使用する凹部が一体に設けられている車両用カップホルダーにおいて、前記コンソールボックス本体の凹部の後方側に嵌合部を設ける一方、前記コンソールボックス本体と別体に形成され、かつカップホルダーとして使用する凹部が一体に形成されている可動部品を設け、１個のカップ使用時には、前記コンソールボックス本体の凹部に前記可動部品の凹部を挿入して収納配置し、２個のカップ使用時には、前記コンソールボックス本体の凹部から前記可動部品を取外し、前記コンソールボックス本体の嵌合部に前記可動部品の前辺部を嵌め込んで取付けるようにしたことを特徴とする車両用カップホルダー。
【請求項２】
前記コンソールボックス本体の凹部の前後方側には、前記可動部品の前後辺部の嵌合部を構成する細長い形状の孔又は凹部がそれぞれ設けられ、これら前後の孔又は凹部は、同一の形状でかつ同一の方向に形成されていることを特徴とする請求項１に記載の車両用カップホルダー。
【請求項３】
前記コンソールボックス本体の後部側には、前記可動部品の凹部の前方側縦壁面とその下端部を受けて支持する縦壁面と座面部が形成されていることを特徴とする請求項１または２に記載の車両用カップホルダー。
【請求項４】
前記可動部品の上部には、前記コンソールボックス本体の凹部収納時に、該凹部周辺の上面を覆うフランジ部が形成されていることを特徴とする請求項１〜３のいずれかに記載の車両用カップホルダー。
【発明の詳細な説明】
【０００１】
【発明の属する技術分野】
本発明は、フロアコンソールボックスに設けられる車両用カップホルダーに関するものである。
【０００２】
【従来の技術】
一般に、車両の室内フロア上で、運転席と助手席との間には、フロアコンソールボックスが車両前後方向に沿って配設されている。このようなコンソールボックスの上面には、飲料缶などのカップを載置するためにカップホルダーとして使用する凹部が設けられている。しかも、従来のコンソールボックスの中には、助手席に同乗者が着座する場合などを考慮して、カップホルダーとして使用する凹部が２個設けられているものがある（例えば、特許文献１参照）。
【０００３】
【特許文献１】
特開２００１−２４６９７９号公報
【０００４】
また、従来のコンソールボックスの中には、使用時の突出量を最小にし、非使用時に完全に収容することが可能なカップホルダーが配設されているものがある（例えば、特許文献２参照）。このため、コンソールボックスの後端部の上方角部には、縦壁と底部を有する収納部が設けられ、底部にはスリットが設けられている。そして、カップホルダーは、コンソールボックスの収納部を覆い、コンソールボックスに開閉可能に支持された開閉扉を備えており、開閉扉には、開状態でコンソールボックスの底部とほぼ同一面になる座面と、飲料缶の周面を保持する側面と、スリットに挿通させた状態でコンソールボックスに軸支するアームとが設けられている。
【０００５】
【特許文献２】
特開２０００−９５０１４号公報
【０００６】
【発明が解決しようとする課題】
しかしながら、飲料缶の収納部となる凹部がコンソールボックスに２個設けられているものは、カップホルダーとして使用する際に便利ではあるが、常設されているので、適用されるコンソールボックスは比較的大型のものに限られてしまうという不具合を有していた。
一方、開閉扉を備えるカップホルダーは、非使用時に完全に収納することが可能であり、大きなスペースを必要としないので、狭い室内の車両や比較的小型のコンソールボックスに適しているが、使用時に１個のカップしか収納できないという点で不便であった。
【０００７】
本発明はこのような実状に鑑みてなされたものであって、その目的は、１個のカップ使用時には１個分の収納スペースで済み、必要な時には２個のカップも収納可能であり、比較的小型のコンソールボックスに適用できる車両用カップホルダーを提供することにある。
【０００８】
【課題を解決するための手段】
上記従来技術の有する課題を解決するために、本発明においては、コンソールボックス本体にカップホルダーとして使用する凹部が一体に設けられている車両用カップホルダーにおいて、前記コンソールボックス本体の凹部の後方側に嵌合部を設ける一方、前記コンソールボックス本体と別体に形成され、かつカップホルダーとして使用する凹部が一体に形成されている可動部品を設け、１個のカップ使用時には、前記コンソールボックス本体の凹部に前記可動部品の凹部を挿入して収納配置し、２個のカップ使用時には、前記コンソールボックス本体の凹部から前記可動部品を取外し、前記コンソールボックス本体の嵌合部に前記可動部品の前辺部を嵌め込んで取付けるようにしている。
【０００９】
また、本発明において、前記コンソールボックス本体の凹部の前後方側には、前記可動部品の前後辺部の嵌合部を構成する細長い形状の孔又は凹部がそれぞれ設けられ、これら前後の孔又は凹部は、同一の形状でかつ同一の方向に形成されている。
さらに、本発明において、前記コンソールボックス本体の後部側には、前記可動部品の凹部の前方側縦壁面とその下端部を受けて支持する縦壁面と座面部が形成されている。
そして、本発明において、前記可動部品の上部には、前記コンソールボックス本体の凹部収納時に、該凹部周辺の上面を覆うフランジ部が形成されている。
【００１０】
【発明の実施の形態】
以下、本発明を図示の実施の形態に基づいて詳細に説明する。
【００１１】
図１〜図４は本発明に係る車両用カップホルダーの実施の形態を示している。本実施形態のフロアコンソールボックス１は、車両の室内フロア上で運転席と助手席との車幅方向の中間に配置され、車両前後方向に沿って設けられている。
上記フロアコンソールボックス１は、図１〜図４に示す如く、樹脂等によって形成されたコンソールボックス本体２を備えており、このコンソールボックス本体２の車両前方部３は、車両前方へ向かって立ち上がる湾曲した形状に形成され、その中間部には、図示しないパーキングブレーキレバーの取付部分が設けられている。
【００１２】
上記コンソールボックス本体２の車両後方部４は、車両前方部３に対して一段下がった高さ位置で上面が平坦面形状に形成され、当該パーキングブレーキレバーの取付部分から連続して一体に設けられている。そして、車両後方部４の前後中間部分には、カップホルダーとして使用する１個の収納凹部５が設けられており、この収納凹部５は、飲料缶などのカップ６を収納保持するのに十分な上下寸法および直径を有し、かつ底面５ａを備えた円筒状に形成されている。
また、コンソールボックス本体２の車両後方部４の上面であって、収納凹部５の前後方側には、図２〜図４に示す如く、後述の可動部品の前後辺部の嵌合部を構成する嵌合凹部（又は嵌合孔）７，８がそれぞれ設けられている。これら嵌合凹部７，８は、所定の深さの凹みで車幅方向へ沿って延び、平面視で細長い円弧状に形成されており、同一の形状でかつ同一の方向（本実施形態では車両後方）に湾曲して形成されている。
しかも、車両後方部４の後面側には、図１および図２に示す如く、後述する可動部品の収納凹部の前方側縦壁面とその下端部を受けて支持する縦壁面４ａと座面部９が形成されている。この座面部９は、車両後方部４の縦壁面４ａの上下中間部分を下方へ向かって徐々に大きく切欠くことにより形成され、車両前方側へ向かって凹んだ平坦面となっている。
【００１３】
一方、本実施形態に係る車両用カップホルダーには、図１〜図４に示す如く、コンソールボックス本体２と別体に形成され、かつカップホルダーとして使用する１個の収納凹部１０が一体に形成された可動部品１１が設けられている。この可動部品１１は、コンソールボックス本体２の車両後方部４に対して取付けおよび取外し可能に構成されている。このため、収納凹部１０は、別の飲料缶などのカップ６ａを収納保持すべく、コンソールボックス本体２の収納凹部５と同様の有底円筒状に形成されていると共に、コンソールボックス本体２の収納凹部５内に挿入して収納配置することが可能な大きさに形成されている。
【００１４】
また、可動部品１１の上端部には、コンソールボックス本体２の収納凹部５内への収納時に、当該収納凹部５の周辺に位置する車両後方部４の上面を覆うフランジ部１２が形成されている。そして、可動部品１１のフランジ部１２の前方部分には、コンソールボックス本体２の嵌合凹部７，８に嵌め込むと挟まるような形状の前辺部１３が下方に延びて形成されている。しかも、可動部品１１のフランジ部１２の後方部分であって、後端から少し前方位置には、コンソールボックス本体２の嵌合凹部８に嵌め込むと挟まるような形状の後辺部１４が下方に延びて形成されている。
さらに、可動部品１１は、前辺部１３を嵌合凹部８に嵌め込んだ状態で、収納凹部１０の前方側縦壁面１０ａおよび下端部１０ｂがコンソールボックス本体２の車両後方部４の縦壁面４ａおよび座面部９に当接および載置されるような寸法および形状に形成されており、これによって片持ち支持による不安定な姿勢を解消するようにしている。
【００１５】
本発明の実施形態の車両用カップホルダーの使用時において、１個のカップ６を収納する際には、コンソールボックス本体２の車両後方部４の収納凹部５に可動部品１１の収納凹部１０を挿入しながら、コンソールボックス本体２の嵌合凹部７，８に前辺部１３および後辺部１４を嵌め込み、車両後方部４の上面に重ね合わせて収納配置する。この状態で、可動部品１１の収納凹部１０にカップ６を入れて載置すれば、カップ６は可動部品１１の収納凹部１０内に収納保持されることになる（図１および図２参照）。
また、２個のカップ６，６ａを収納する際には、コンソールボックス本体２の車両後方部４の嵌合凹部７，８から前辺部１３および後辺部１４を抜き出しながら、コンソールボックス本体２の車両後方部４の収納凹部５から可動部品１１の収納凹部１０を取外す。次いで、コンソールボックス本体２の嵌合凹部８に可動部品１１の前辺部１３を嵌め込むと共に、車両後方部４の縦壁面４ａおよび座面部９に可動部品１１の収納凹部１０の前方側縦壁面１０ａおよび下端部１０ｂを当接および載置して支持させる。この状態で、コンソールボックス本体２の車両後方部４の収納凹部５にカップ６を入れて載置すると共に、可動部品１１の収納凹部１０にカップ６ａを入れて載置すれば、２個のカップ６，６ａはコンソールボックス本体２および可動部品１１の収納凹部５，１０内に収納保持されることになる（図３および図４参照）。
【００１６】
本発明の実施形態に係る車両用カップホルダーでは、１個のカップ６の使用時において、コンソールボックス本体２の車両後方部４の収納凹部５にこれと別体の可動部品１１の収納凹部１０を挿入して収納しているため、コンソールボックス本体２の車両後方部４にカップ１個分のスペースを設けるだけで済み、大型のフロアコンソールボックス１を用いる必要がなくなる。しかも、本実施形態の車両用カップホルダーでは、２個のカップ６，６ａの使用時において、コンソールボックス本体２の車両後方部４の収納凹部５から可動部品１１の収納凹部１０を取外し、コンソールボックス本体２の車両後方部４の嵌合凹部８に可動部品１１の前辺部１３を嵌め込んで取付けているため、複雑な構造を設けることなく、簡単な操作で２個のカップ６，６ａを収納凹部５，１０に収納保持することができ、非常に便利となる。
【００１７】
以上、本発明の実施の形態につき述べたが、本発明は既述の実施の形態に限定されるものではなく、本発明の技術的思想に基づいて各種の変形および変更が可能である。
【００１８】
【発明の効果】
上述の如く、本発明に係る車両用カップホルダーは、コンソールボックス本体にカップホルダーとして使用する凹部が一体に設けられているものであって、前記コンソールボックス本体の凹部の後方側に嵌合部を設ける一方、前記コンソールボックス本体と別体に形成され、かつカップホルダーとして使用する凹部が一体に形成されている可動部品を設け、１個のカップ使用時には、前記コンソールボックス本体の凹部に前記可動部品の凹部を挿入して収納配置し、２個のカップ使用時には、前記コンソールボックス本体の凹部から前記可動部品を取外し、前記コンソールボックス本体の嵌合部に前記可動部品の前辺部を嵌め込んで取付けるようにしているので、１個のカップ使用時にはカップ１個分の収納スペースで済み、比較的小型のコンソールボックスでも複雑な構造を採用せずに、必要な時には簡単な取外しおよび取付け操作で２個のカップを収納することができ、利便性に優れている。
【００１９】
また、本発明の車両用カップホルダーにおいて、前記コンソールボックス本体の凹部の前後方側に、前記可動部品の前後辺部の嵌合部を構成する細長い形状の孔又は凹部をそれぞれ設け、これら前後の孔又は凹部を同一の形状でかつ同一の方向に形成すれば、上記発明と同様の効果が得られる上、コンソールボックス本体に対して可動部品を容易かつ確実に取外しおよび取付けることができる。
【００２０】
また、本発明の車両用カップホルダーにおいて、前記コンソールボックス本体の後部側に、前記可動部品の凹部の前方側縦壁面とその下端部を受けて支持する縦壁面と座面部を形成すれば、上記発明と同様の効果が得られる上、安定な姿勢を保持することができる。
【００２１】
また、本発明の車両用カップホルダーにおいて、前記可動部品の上部に、前記コンソールボックス本体の凹部収納時に、該凹部周辺の上面を覆うフランジ部を形成すれば、上記発明と同様の効果が得られる上、外観品質の向上を図ることができる。
【図面の簡単な説明】
【図１】本発明の実施形態に係る車両用カップホルダーであって、１個のカップ使用時の状態を示す斜視図である。
【図２】本発明の実施形態に係る車両用カップホルダーであって、１個のカップ使用時の状態を示す断面図である。
【図３】（ａ）は本発明の実施形態に係る車両用カップホルダーであって、２個のカップ使用時の状態を示す斜視図、（ｂ）は（ａ）において可動部品を取外した状態の一部を示す斜視図である。
【図４】本発明の実施形態に係る車両用カップホルダーであって、２個のカップ使用時の状態を示す断面図である。
【符号の説明】
１　フロアコンソールボックス
２　コンソールボックス本体
３　車両前方部
４　車両後方部
４ａ　縦壁面
５　コンソールボックス本体の収納凹部
６，６ａ　カップ
７，８　嵌合凹部
９　座面部
１０　可動部品の収納凹部
１０ａ　前方側縦壁面
１０ｂ　下端部
１１　可動部品
１２　フランジ部
１３　前辺部
１４　後辺部
【図１】
2004114766.tif 000003
【図２】
2004114766.tif 000004
【図３】
2004114766.tif 000005
【図４】
2004114766.tif 000006